(57)【要約】【課題】下り共有データチャネル用の無線リソース領域において下り制御情報を伝送する場合に、使用可能な無線リソースを有効活用すること。【解決手段】本発明の無線通信方法において、無線基地局は、ユーザ端末に対して、前記拡張下り制御チャネルに割り当てられる複数のリソースブロックを含んでそれぞれ構成される複数のリソースセットを設定し、前記ユーザ端末に対して、拡張下り制御チャネル割当情報を通知する。前記ユーザ端末は、前記拡張下り制御チャネル割当情報に基づいて、該ユーザ端末に対する前記下り共有データチャネルに割り当てられるリソースブロックを検出する。前記拡張下り制御チャネル割当情報は、前記複数のリソースセットの各々を構成するリソースブロックを示すとともに、該リソースブロックと同一のリソースブロックグループ内で、かつ、他のリソースセットを構成するリソースブロックを示す。【選択図】図１１
2014033277.tif 000002
【特許請求の範囲】
【請求項１】
無線基地局が、下り共有データチャネルに周波数分割多重される拡張下り制御チャネルを用いて、下り制御情報を送信する無線通信システムにおける無線通信方法であって、
前記無線基地局が、ユーザ端末に対して、前記拡張下り制御チャネルに割り当てられる複数のリソースブロックを含んでそれぞれ構成される複数のリソースセットを設定する工程と、
前記無線基地局が、前記ユーザ端末に対して、前記複数のリソースセットの各々を構成するリソースブロックを示す拡張下り制御チャネル割当情報を通知する工程と、
前記ユーザ端末が、前記拡張下り制御チャネル割当情報に基づいて、該ユーザ端末に対する前記下り共有データチャネルに割り当てられるリソースブロックを検出する工程と、を有し、
前記拡張下り制御チャネル割当情報は、前記複数のリソースセットの各々を構成するリソースブロックと同一のリソースブロックグループ内で、かつ、他のリソースセットを構成するリソースブロックを示すことを特徴とする無線通信方法。
【請求項２】
前記ユーザ端末が、前記拡張下り制御チャネル又は下り制御チャネルを用いて、前記下り共有データチャネルに割り当てられるリソースブロックグループを示す下り共有データチャネル割当情報を受信する工程を更に有し、
前記検出する工程において、前記ユーザ端末は、前記下り共有データチャネル割当情報が示すリソースブロックグループ内で、かつ、前記拡張下り制御チャネル割当情報が示すリソースブロック以外のリソースブロックを、前記下り共有データチャネルに割り当てられるリソースブロックとして検出することを特徴とする請求項１に記載の無線通信方法。
【請求項３】
前記複数のリソースセットは、ユーザ端末間で共通に設定される第１リソースセットと、ユーザ端末間で個別に設定される第２リソースセットと、を含み、
前記検出する工程において、前記ユーザ端末は、前記下り共有データチャネル割当情報が示すリソースブロックグループ内で、かつ、前記第２リソースセットを構成するリソースブロックを、前記下り共有データチャネルに割り当てられるリソースブロックとして検出することを特徴とする請求項２に記載の無線通信方法。
【請求項４】
前記拡張下り制御チャネル割当情報は、前記複数のリソースセットにそれぞれ対応する複数のビットマップで構成され、
前記他のリソースセットを構成するリソースブロックに対応するビットは、前記複数のビットマップ間で重複して、割当状態を示すことを特徴とする請求項１から請求項３のいずれかに記載の無線通信方法。
【請求項５】
前記拡張下り制御チャネル割当情報は、前記ユーザ端末に対して、上位レイヤシグナリングにより通知されることを特徴とする請求項１から請求項４のいずれかに記載の無線通信方法。
【請求項６】
下り共有データチャネルに周波数分割多重される拡張下り制御チャネルを用いて、下り制御情報を送信する無線基地局であって、
ユーザ端末に対して、前記拡張下り制御チャネルに割り当てられる複数のリソースブロックを含んでそれぞれ構成される複数のリソースセットを設定する設定部と、
前記ユーザ端末に対して、前記複数のリソースセットの各々を構成するリソースブロックを示す拡張下り制御チャネル割当情報を通知する通知部と、を具備し、
前記拡張下り制御チャネル割当情報は、前記複数のリソースセットの各々を構成するリソースブロックと同一のリソースブロックグループ内で、かつ、他のリソースセットを構成するリソースブロックを示すことを特徴とする無線基地局。
【請求項７】
下り共有データチャネルと周波数分割多重される拡張下り制御チャネルを用いて下り制御情報を受信するユーザ端末であって、
前記拡張下り制御チャネルに割り当てられる複数のリソースブロックを含んでそれぞれ構成される複数のリソースセットが前記ユーザ端末に設定される場合、前記複数のリソースセットの各々を構成するリソースブロックを示す拡張下り制御チャネル割当情報を、無線基地局から受信する受信部と、
前記拡張下り制御チャネル割当情報に基づいて、該ユーザ端末に対する前記下り共有データチャネルに割り当てられるリソースブロックを検出する検出部と、を具備し、
前記拡張下り制御チャネル割当情報は、前記複数のリソースセットの各々を構成するリソースブロックと同一のリソースブロックグループ内で、かつ、他のリソースセットを構成するリソースブロックを示すことを特徴とするユーザ端末。
【請求項８】
無線基地局が、下り共有データチャネルと周波数分割多重される拡張下り制御チャネルを用いて下り制御情報を送信する無線通信システムであって、
前記無線基地局は、ユーザ端末に対して、前記拡張下り制御チャネルに割り当てられる複数のリソースブロックを含んでそれぞれ構成される複数のリソースセットを設定する設定部と、前記ユーザ端末に対して、前記複数のリソースセットの各々を構成するリソースブロックを示す拡張下り制御チャネル割当情報を通知する通知部と、を具備し、
前記ユーザ端末は、前記拡張下り制御チャネル割当情報に基づいて、該ユーザ端末に対する前記下り共有データチャネルに割り当てられるリソースブロックを検出する検出部を具備し、
前記拡張下り制御チャネル割当情報は、前記複数のリソースセットの各々を構成するリソースブロックと同一のリソースブロックグループ内で、かつ、他のリソースセットを構成するリソースブロックを示すことを特徴とする無線通信システム。
【発明の詳細な説明】
【技術分野】
【０００１】
本発明は、次世代無線通信システムにおける無線通信方法、無線基地局、ユーザ端末及び無線通信システムに関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が検討されている（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
また、ＬＴＥからのさらなる広帯域化及び高速化を目的として、ＬＴＥの後継システム（例えば、ＬＴＥアドバンスト又はＬＴＥエンハンスメントと呼ぶこともある（以下、「ＬＴＥ−Ａ」という））も検討されている。ＬＴＥ（リリース８）やＬＴＥ−Ａ（リリース９以降）においては、複数のアンテナでデータを送受信し、周波数利用効率を向上させる無線通信技術としてＭＩＭＯ（Multi  Input  Multi  Output）技術が検討されている。ＭＩＭＯ技術においては、送受信機に複数の送信／受信アンテナを用意し、異なる送信アンテナから同時に異なる送信情報系列を送信する。
【先行技術文献】
【非特許文献】
【０００４】
【非特許文献１】3GPP  TR  25.913“Requirements  for  Evolved  UTRA  and  Evolved  UTRAN”
【発明の概要】
【発明が解決しようとする課題】
【０００５】
ＬＴＥ−Ａなどの将来のシステムでは、異なる送信アンテナから同時に異なるユーザに送信情報系列を送信するマルチユーザＭＩＭＯ（ＭＵ−ＭＩＭＯ：Multiple  User  MIMO）伝送が検討されている。このＭＵ−ＭＩＭＯ伝送は、Ｈｅｔｎｅｔ（Heterogeneous  network）やＣｏＭＰ（Coordinated  Multi-Point）伝送にも適用される。一方で、この将来のシステムでは、下り制御情報を伝送する下り制御チャネルの容量の不足により、ＭＵ−ＭＩＭＯ伝送等のシステム特性を十分に発揮できない恐れがある。
【０００６】
そこで、下り制御チャネル用の無線リソース領域を拡張して、より多くの下り制御情報を伝送することも考えられる。例えば、下り共有データチャネル用の無線リソース領域において下り制御情報を伝送することも考えられる。しかしながら、下り共有データチャネル用の無線リソース領域において下り制御情報を伝送する場合、使用可能な無線リソースを活用できない恐れがある。
【０００７】
本発明はかかる点に鑑みてなされたものであり、下り共有データチャネル用の無線リソース領域において下り制御情報を伝送する場合に、使用可能な無線リソースを有効活用できる無線通信方法、無線基地局、ユーザ端末及び無線システムを提供することを目的とする。
【課題を解決するための手段】
【０００８】
本発明の無線通信方法は、無線基地局が、下り共有データチャネルに周波数分割多重される拡張下り制御チャネルを用いて、下り制御情報を送信する無線通信システムにおける無線通信方法であって、前記無線基地局が、ユーザ端末に対して、前記拡張下り制御チャネルに割り当てられる複数のリソースブロックを含んでそれぞれ構成される複数のリソースセットを設定する工程と、前記無線基地局が、前記ユーザ端末に対して、前記複数のリソースセットの各々を構成するリソースブロックを示す拡張下り制御チャネル割当情報を通知する工程と、前記ユーザ端末が、前記拡張下り制御チャネル割当情報に基づいて、該ユーザ端末に対する前記下り共有データチャネルに割り当てられるリソースブロックを検出する工程と、を有し、前記拡張下り制御チャネル割当情報は、前記複数のリソースセットの各々を構成するリソースブロックと同一のリソースブロックグループ内で、かつ、他のリソースセットを構成するリソースブロックを示すことを特徴とする。
【発明の効果】
【０００９】
本発明によれば、下り共有データチャネル用の無線リソース領域において下り制御情報を伝送する場合に、使用可能な無線リソースを有効活用できる。
【図面の簡単な説明】
【００１０】
【図１】ＭＵ−ＭＩＭＯが適用される無線通信システムの概略図である。
【図２】下りリンクのＭＵ−ＭＩＭＯ伝送が行われるサブフレームの一例を示す図である。
【図３】拡張ＰＤＣＣＨのサブフレーム構成の説明図である。
【図４】拡張ＰＤＣＣＨのマッピング方法の説明図である。
【図５】拡張ＰＤＣＣＨの分散マッピングの一例を示す図である。
【図６】拡張ＰＤＣＣＨセットの一例を示す図である。
【図７】拡張ＰＤＣＣＨセットの他の例を示す図である。
【図８】ビットマップを用いた拡張ＰＤＣＣＨセットの構成の通知例を示す図である。
【図９】ＤＣＩを用いたＰＤＳＣＨの割り当ての通知例を示す図である。
【図１０】ＰＤＳＣＨの割り当ての検出例を示す図である。
【図１１】本実施の形態に係る拡張ＰＤＣＣＨ割当情報の一例を示す図である。
【図１２】本実施の形態に係るＰＤＳＣＨの検出例を示す図である。
【図１３】本実施の形態に係るＰＤＳＣＨの他の検出例を示す図である。
【図１４】本実施の形態に係る無線通信システムのシステム構成の説明図である。
【図１５】本実施の形態に係る無線基地局の全体構成の説明図である。
【図１６】本実施の形態に係るユーザ端末の全体構成の説明図である。
【図１７】本実施の形態に係る無線基地局のベースバンド処理部及び一部の上位レイヤを示す機能構成図である。
【図１８】実施の形態に係るユーザ端末のベースバンド処理部の機能構成図である。
【発明を実施するための形態】
【００１１】
図１は、ＭＵ−ＭＩＭＯ伝送が適用される無線通信システムの一例を示す図である。図１に示すシステムは、無線基地局（例えば、ｅＮＢ：eNodeB）のカバレッジエリア内に局所的なカバレッジエリアを有する小型基地局（例えば、ＲＲＨ：Remote  Radio  Headなど）が設けられ、階層的に構成されている。このようなシステムにおける下りリンクのＭＵ−ＭＩＭＯ伝送では、無線基地局の複数のアンテナから複数のユーザ端末ＵＥ（User  Equipment）＃１及び＃２に対するデータが同時に送信される。また、複数の小型基地局の複数のアンテナから複数のユーザ端末ＵＥ＃３、＃４に対するデータも同時に送信される。
【００１２】
図２は、下りリンクのＭＵ−ＭＩＭＯ伝送が適用される無線フレーム（例えば、１サブフレーム）の一例を示す図である。図２に示すように、ＭＵ−ＭＩＭＯ伝送が適用されるシステムでは、各サブフレームにおいて先頭から所定のＯＦＤＭシンボル（最大３ＯＦＤＭシンボル）まで、下り制御チャネル（ＰＤＣＣＨ：Physical  Downlink  Control  Channel）用の無線リソース領域（ＰＤＣＣＨ領域）として確保される。また、サブフレームの先頭から所定のシンボルより後の無線リソースに、下り共有データチャネル（ＰＤＳＣＨ：Physical  Downlink  Shared  Channel）用の無線リソース領域（ＰＤＳＣＨ領域）が確保される。
【００１３】
ＰＤＣＣＨ領域には、ユーザ端末ＵＥ（ここでは、ＵＥ＃１〜＃４）に対する下り制御情報（ＤＣＩ：Downlink  Control  Information、以下、ＤＣＩという）が割当てられる。ＤＣＩには、ＰＤＳＣＨ領域におけるユーザ端末ＵＥに対するデータの割り当て情報等が含まれる。例えば、図２において、ユーザ端末ＵＥ＃２は、ＰＤＣＣＨ領域に割り当てられたユーザ端末ＵＥ＃２に対するＤＣＩに基づいて、ＰＤＳＣＨ領域に割り当てられたユーザ端末ＵＥ＃２に対するデータを受信する。
【００１４】
また、ＭＵ−ＭＩＭＯ伝送においては、同一時間及び同一周波数で複数のユーザ端末ＵＥに対するデータ送信が可能となる。このため、図２のＰＤＳＣＨ領域において、ユーザ端末ＵＥ＃１に対するデータとユーザ端末ＵＥ＃５に対するデータを同一の周波数領域に多重することが考えられる。同様に、ユーザ端末ＵＥ＃４に対するデータとユーザ端末ＵＥ＃６に対するデータを同一の周波数領域に多重することも考えられる。
【００１５】
しかしながら、図２に示すように、ＰＤＳＣＨ領域においてユーザ端末ＵＥ＃１〜＃６に対するデータを割り当てようとしても、ＰＤＣＣＨ領域において全てのユーザ端末ＵＥ＃１〜＃６に対するＤＣＩの割り当て領域を確保できない場合がある。例えば、図２のＰＤＣＣＨ領域では、ユーザ端末ＵＥ＃５及び＃６に対するＤＣＩを割り当てることができない。この場合、ＤＣＩを割り当てるＰＤＣＣＨ領域の不足によりＰＤＳＣＨ領域に多重されるユーザ端末ＵＥの数が制限されるため、ＭＵ−ＭＩＭＯ伝送による無線リソースの利用効率の向上効果を十分に得られない恐れがある。
【００１６】
このようなＰＤＣＣＨ領域の不足を解決する方法として、サブフレームの先頭から最大３ＯＦＤＭシンボルの制御領域以外にＰＤＣＣＨの割当て領域を拡張する（４ＯＦＤＭシンボル以降の既存のＰＤＳＣＨ領域にＰＤＣＣＨ領域を拡張する）ことが考えられる。ＰＤＣＣＨ領域の拡張方法としては、図３Ａに示すように、既存のＰＤＳＣＨ領域においてＰＤＳＣＨとＰＤＣＣＨとを時分割多重する方法（ＴＤＭアプローチ）、図３Ｂに示すように、既存のＰＤＳＣＨ領域においてＰＤＳＣＨとＰＤＣＣＨとを周波数分割多重する方法（ＦＤＭアプローチ）が考えられる。
【００１７】
図３Ａに示すＴＤＭアプローチでは、サブフレームの４ＯＦＤＭシンボル以降の一部ＯＦＤＭシンボルにおいてシステム帯域全体に渡りＰＤＣＣＨが配置される。一方、図３Ｂに示すＦＤＭアプローチでは、サブフレームの４ＯＦＤＭシンボル以降の全ＯＦＤＭシンボルにおいてシステム帯域の一部にＰＤＣＣＨが配置される。このＦＤＭアプローチによりＰＤＳＣＨと周波数分割多重されるＰＤＣＣＨは、ユーザ固有の参照信号である復調用参照信号（ＤＭ−ＲＳ：DeModulation-Reference  Signal）を用いて復調される。このため、かかるＰＤＣＣＨで伝送されるＤＣＩは、ＰＤＳＣＨで伝送される下りデータと同様に、ビームフォーミングゲインを得ることができ、ＰＤＣＣＨのキャパシティの増大に有効である。今後は、このＦＤＭアプローチが重要となると考えられる。
【００１８】
以下、ＦＤＭアプローチにおいてＰＤＳＣＨと周波数分割多重されるＰＤＣＣＨを拡張ＰＤＣＣＨ（enhanced  ＰＤＣＣＨ）と称する。この拡張ＰＤＣＣＨは、拡張下り制御チャネル（enhanced  physical  downlink  control  channel）、ｅＰＤＣＣＨ、Ｅ−ＰＤＣＣＨ、ＦＤＭ型ＰＤＣＣＨ、ＵＥ−ＰＤＣＣＨ等と呼ばれてもよい。
【００１９】
以上のようなＦＤＭアプローチの拡張ＰＤＣＣＨにおいて、ＤＣＩのマッピング方法として、局所マッピング（Localized  mapping）と分散マッピング（Distributed  Mapping）とが検討されている。図４は、拡張ＰＤＣＣＨにおけるＤＣＩのマッピング方法を説明するための図である。図４Ａは、局所マッピングを示し、図４Ｂは、分散マッピングを示す。
【００２０】
図４Ａ及び４Ｂに示すように、拡張ＰＤＣＣＨは、システム帯域に分散された所定数の物理リソースブロック（ＰＲＢ）ペアから構成される。ＰＲＢペアは、時間方向に連続する２つのＰＲＢから構成され、周波数方向に付与されるＰＲＢインデックスにより識別される。拡張ＰＤＣＣＨを構成する複数のＰＲＢペアは、上位レイヤによって定められる。当該複数のＰＲＢペアの各々を識別するＰＲＢインデックスは、上位レイヤシグナリングによりユーザ端末ＵＥに通知される。また、拡張ＰＤＣＣＨを構成する複数のＰＲＢペアは、予め仕様で定められる場合もある。
【００２１】
図４Ａに示すように、局所マッピングでは、１ＤＣＩが、拡張ＰＤＣＣＨを構成する特定のＰＲＢペアに局所的にマッピングされる。具体的には、１ＤＣＩが、ユーザ端末ＵＥからフィードバックされたＣＱＩに基づいて、１ＰＲＢペア（例えば、チャネル品質が最も良いＰＲＢペア）内にマッピングされる。局所マッピングでは、ＣＱＩを用いることにより、周波数スケジューリングゲインを得ることができる。なお、図４Ａにおいて、拡張ＰＤＣＣＨを構成する複数のＰＲＢペアのうち、ＤＣＩがマッピングされないＰＲＢペアには、ＰＤＳＣＨがマッピングされてもよい。
【００２２】
図４Ｂに示すように、分散マッピングでは、１ＤＣＩが、拡張ＰＤＣＣＨを構成する複数のＰＲＢペアに分散してマッピングされる。具体的には、１ＤＣＩが複数の分割ユニットに分割され、各分割ユニットが上記複数のＰＲＢペア（全てのＰＲＢペアでもよい）に分散してマッピングされる。分散マッピングでは、１ＤＣＩをシステム帯域に分散させることにより、周波数ダイバーシチゲインを得ることができる。
【００２３】
このように、分散マッピングでは、局所マッピングとは異なり、各ＤＣＩが複数の分割ユニットに分割され、各分割ユニットが拡張ＰＤＣＣＨを構成する複数のＰＲＢペアに分散してマッピングされる。このため、図５Ａに示すように、拡張ＰＤＣＣＨが多くのＰＲＢペア（図５Ａでは、８つのＰＲＢペア）から構成される場合、１ＤＣＩのみをマッピングしようとすると、無線リソースの利用効率が低下する。１ＤＣＩの分割ユニットが多くのＰＲＢペアに分散してマッピングされるので、ＰＤＳＣＨをマッピング可能なＰＲＢペア数が減少するためである。
【００２４】
そこで、分散マッピングでは、図５Ｂに示すように、１ＤＣＩの分割ユニットが分散してマッピングされるＰＲＢペア数を制限することが検討されている。図５Ｂでは、１ＤＣＩの分割ユニットが分散してマッピングされるＰＲＢペア数が４に制限される。このため、図５Ｂでは、図５Ａに示す場合と比較して、ＰＤＳＣＨをマッピング可能なＰＲＢペア数が増加する。
【００２５】
また、ＰＤＳＣＨと周波数分割多重される拡張ＰＤＣＣＨ（ＦＤＭアプローチ）を用いる場合、各ユーザ端末ＵＥに対して複数の拡張ＰＤＣＣＨセットを設定（configure）することも検討されている。図６Ａに示すように、各拡張ＰＤＣＣＨセットは、拡張ＰＤＣＣＨに割り当てられる複数のＰＲＢペアを含んで構成される。なお、拡張ＰＤＣＣＨセットは、enhanced  ＰＤＣＣＨセット、ｅＰＤＣＣＨセット、Ｅ−ＰＤＣＣＨセット、単に、セット等と呼ばれてもよい。
【００２６】
図６Ａでは、ユーザ端末ＵＥ＃１−＃１０のそれぞれに対して、拡張ＰＤＣＣＨセット＃１及び＃２が重複して設定される。図６Ａでは、ＤＣＩが伝送されるユーザ端末ＵＥの数が所定数より少ない場合、一方の拡張ＰＤＣＣＨセット＃１だけにＤＣＩがマッピングされるので、他方の拡張ＰＤＣＣＨ＃２をＰＤＳＣＨのために利用可能となる。このように、各ユーザ端末ＵＥに対して複数の拡張ＰＤＣＣＨセットを重複して設定することで、無線リソースの利用効率を向上させることができる。なお、各拡張ＰＤＣＣＨセットにおいて、ＤＣＩは、分散マッピングされてもよいし（図４Ｂ、図５参照）、局所マッピング（図４Ａ参照）されてもよい。
【００２７】
図６Ａに示すように、各ユーザ端末ＵＥに対して拡張ＰＤＣＣＨセット＃１及び＃２が設定される場合、各ユーザ端末ＵＥは、拡張ＰＤＣＣＨセット＃１及び＃２をそれぞれブラインド復号する必要がある。かかる場合、図６Ｂに示すように、拡張ＰＤＣＣＨセット＃１及び＃２全体でのサーチスペース候補数が増加しないように、１拡張ＰＤＣＣＨセット当たりのサーチスペース候補数が設定されてもよい。これにより、各ユーザ端末ＵＥが複数の拡張ＰＤＣＣＨセットをブラインド復号する場合でも、ブラインド復号回数が増加するのを防止できる。
【００２８】
また、各ユーザ端末ＵＥに対して複数の拡張ＰＤＣＣＨセットが設定される場合、図７Ａに示すように、各ユーザ端末ＵＥに対して、プライマリセットとセカンダリセットとが設定されてもよい。ここで、プライマリセットとは、全てのユーザ端末ＵＥに共通して設定される拡張ＰＤＣＣＨセットであり、共通サーチスペース（ＣＳＳ）として使用されてもよい。一方、セカンダリセットとは、少なくとも１つのユーザ端末ＵＥに個別に設定される拡張ＰＤＣＣＨセットであり、個別サーチスペース（UE-specific  ＳＳ）として使用されてもよい。
【００２９】
図７Ａでは、拡張ＰＤＣＣＨセット＃１がプライマリセットであり、拡張ＰＤＣＣＨセット＃２、＃３が、それぞれ、ユーザ端末ＵＥ＃１−＃８、＃９−＃１５のセカンダリセットである。かかる場合、図７Ｂに示すように、プライマリセットのサーチスペース候補数が、セカンダリセットのサーチスペース候補数よりも多く設定されてもよい。これにより、全てのユーザ端末ＵＥがブラインド復号するプライマリセットにおいて、ブロッキングの発生確率を減少させることができる。
【００３０】
以上のように、各ユーザ端末ＵＥに対して複数の拡張ＰＤＣＣＨセットが設定される場合、ビットマップを用いて、当該複数の拡張ＰＤＣＣＨセットの構成（configuration）を各ユーザ端末ＵＥに通知することが検討されている。
【００３１】
図８は、ビットマップを用いた拡張ＰＤＣＣＨセットの構成の通知例を示す図である。なお、図８では、帯域幅が１０ＭＨｚ（５０ＰＲＢペア）である場合を想定する。また、図８では、拡張ＰＤＣＣＨセット＃１は、ＰＲＢペア＃０、＃９及び＃４５で構成され、拡張ＰＤＣＣＨセット＃２は、ＰＲＢペア＃３、＃１０及び＃４６で構成され、拡張ＰＤＣＣＨセット＃３は、ＰＲＢペア＃４、＃１６及び＃４７で構成されるものとする。
【００３２】
図８において、ユーザ端末ＵＥに通知されるビットマップは、帯域幅を構成するＰＲＢペア数と等しいビット数で構成され、拡張ＰＤＣＣＨセット毎に生成される。ビットマップの各ビットは、対応するＰＲＢペアが拡張ＰＤＣＣＨセットに割り当てられるか否かを示す。
【００３３】
図８に示すように、拡張ＰＤＣＣＨセット＃１用のビットマップでは、ＰＲＢペア＃０、＃９及び＃４５に対応するビットに「１（割当状態）」が設定され、残りのＰＲＢペアに対応するビットが「０（非割当状態）」に設定される。同様に、拡張ＰＤＣＣＨセット＃２用のビットマップでは、ＰＲＢペア＃３、＃１０及び＃４６に対応するビットに「１（割当状態）」が設定される。また、拡張ＰＤＣＣＨセット＃３用のビットマップでは、ＰＲＢペア＃４、＃１６及び＃４７に対応するビットに「１（割当状態）」が設定される。
【００３４】
また、図８では、ユーザ端末ＵＥ＃１に対しては拡張ＰＤＣＣＨセット＃１及び＃２が設定され、ユーザ端末ＵＥ＃１０に対しては拡張ＰＤＣＣＨセット＃１及び＃３が設定される。このため、拡張ＰＤＣＣＨセット＃１及び＃２用のビットマップが、上位レイヤシグナリングを用いて、ユーザ端末ＵＥ＃１に通知される。一方、拡張ＰＤＣＣＨセット＃１及び＃３用のビットマップが、上位レイヤシグナリングを用いて、ユーザ端末ＵＥ＃１０に通知される。
【００３５】
ところで、ＬＴＥシステム（リリース８）やリリース１０以前のＬＴＥ−Ａシステムでは、ＤＣＩ（具体的には、リソース配置フィールド（resource allocation field））を用いて、ＰＤＳＣＨの割り当てをユーザ端末ＵＥに通知する。
【００３６】
図９は、ＤＣＩを用いたＰＤＳＣＨの割り当ての通知例を示す図である。図９に示すように、リソース配置タイプ０では、ＰＤＳＣＨに割り当てられるリソースブロックグループ（ＲＢＧ）を示すビットマップが生成され、ＤＣＩのリソース配置フィールドに設定される。リソースブロックグループ（ＲＢＧ）は、周波数方向に連続する所定数のＰＲＢペアで構成される。図９に示すように、帯域幅が１０ＭＨｚ（５０ＰＲＢペア）である場合、１ＲＢＧは３ＰＲＢペアで構成される。
【００３７】
図９に示すように、特定のユーザ端末ＵＥに対するＰＤＳＣＨにＲＢＧ＃１及び＃５が割り当てられる場合、ＲＢＧ＃１及び＃５に対応するビットに「１（割当状態）」が設定され、残りのＲＢＧに対応するビットに「０（非割当状態）」が設定される。このように、ＲＢＧ単位でＰＤＳＣＨの割り当てをユーザ端末ＵＥに通知する場合、ＰＲＢペア単位で通知する場合と比較して、ビットマップのサイズを削減できる。
【００３８】
ここで、各ユーザ端末ＵＥに対して複数の拡張ＰＤＣＣＨセットが設定される場合のＰＤＳＣＨの割り当てについて説明する。図１０に示すように、拡張ＰＤＣＣＨセット＃１〜＃３がそれぞれ複数のＲＰＢペアで構成される場合、残りのＰＲＢペア（すなわち、拡張ＰＤＣＣＨセット＃１〜＃３を構成しないＰＲＢペア）にＰＤＳＣＨを割り当てることが可能である。また、各ユーザ端末ＵＥに対して複数の拡張ＰＤＣＣＨセットが設定される場合、図６で説明したように、全ての拡張ＰＤＣＣＨセットが使用されるとは限らない。したがって、未使用の拡張ＰＤＣＣＨセットを構成するＰＲＢペアにＰＤＳＣＨを割り当てることも可能である。
【００３９】
このように、各ユーザ端末ＵＥに対して複数の拡張ＰＤＣＣＨセットが設定される場合、使用可能なＰＲＢペアに柔軟にＰＤＳＣＨを割り当てて、無線リソースを有効活用することが望まれる。しかしながら、各ユーザ端末ＵＥに対して複数の拡張ＰＤＣＣＨセットが設定される場合、図８及び図９で説明したように、拡張ＰＤＣＣＨセット及びＰＤＳＣＨの割り当てをユーザ端末ＵＥに通知しても、ユーザ端末ＵＥが、自端末に対するＰＤＳＣＨに割り当てられるＰＲＢペアを適切に検出できない場合があるという問題点があった。
【００４０】
例えば、図１０において、拡張ＰＤＣＣＨセット＃１及び＃３が設定されるユーザ端末＃１０（図８参照）が、ＤＣＩ内のリソース配置タイプ０のビットマップに基づいて、ＲＢＧ＃１に対するＰＤＳＣＨの割り当てを検出するとする。ユーザ端末＃１０は、拡張ＰＤＣＣＨセット＃１及び＃３用のビットマップに基づいて、ＲＢＧ＃１内のＰＲＢペア＃４に対する拡張ＰＤＣＣＨセット＃３の割り当てを検出する。
【００４１】
しかしながら、図１０において、ユーザ端末＃１０は、ＲＢＧ＃１内のＰＲＢペア＃３に対する拡張ＰＤＣＣＨセット＃２の割り当てを検出できない。ユーザ端末ＵＥ＃１０に対しては、拡張ＰＤＣＣＨセット＃２用のビットマップが通知されないためである。かかる場合、ＲＢＧ＃１内のＰＲＢペア＃５だけにＰＤＳＣＨが割り当てられていても、ユーザ端末ＵＥ＃１０は、ＰＲＢペア＃３及び＃５の双方に対してＰＤＳＣＨが割り当てられると誤検出する恐れがある。
【００４２】
そこで、本発明者らは、ユーザ端末ＵＥに対して複数の拡張ＰＤＣＣＨセットが設定される場合に、自端末に対するＰＤＳＣＨに割り当てられるＰＲＢペアをユーザ端末ＵＥが適切に検出可能とすることで、使用可能なＰＲＢペアにＰＤＳＣＨを柔軟に割り当て可能な無線通信方法を検討し、本発明に至った。
【００４３】
本実施の形態に係る無線通信方法では、無線基地局が、ユーザ端末ＵＥに対して、複数の拡張ＰＤＣＣＨセット（リソースセット）を設定（configure）する。また、無線基地局は、拡張ＰＤＣＣＨ割当情報（拡張下り制御チャネル割当情報）を、ユーザ端末ＵＥに通知する。ユーザ端末ＵＥは、拡張ＰＤＣＣＨ割当情報に基づいて、当該ユーザ端末ＵＥに対するＰＤＳＣＨに割り当てられるリソースブロックを検出する。また、当該リソースブロックは、拡張ＰＤＣＣＨ割当情報と、ＤＣＩ（下り制御情報）に含まれるＰＤＳＣＨ割当情報（下り共有データチャネル割当情報）とに基づいて、検出されてもよい。
【００４４】
ここで、拡張ＰＤＣＣＨ割当情報は、ユーザ端末ＵＥに設定される各拡張ＰＤＣＣＨセットを構成するリソースブロックを示す。また、当該ＰＤＣＣＨ割当情報は、当該リソースブロックと同一のリソースブロックグループ内で、かつ、他のユーザ端末ＵＥに設定される他のリソースセットを構成するリソースブロックを示す。拡張ＰＤＣＣＨ割当情報は、上位レイヤシグナリングを用いて、ユーザ端末ＵＥに通知される。以下では、拡張ＰＤＣＣＨ割当情報が、ビットマップである例を説明するが、これに限られない。例えば、拡張ＰＤＣＣＨ割当情報は、各拡張ＰＤＣＣＨセットを構成するリソースブロックのインデックス番号であってもよい。
【００４５】
また、ＰＤＳＣＨ割当情報は、ユーザ端末ＵＥに対するＰＤＳＣＨの割り当てを示す情報であり、ＤＣＩ（具体的には、リソース配置フィールド）に含まれる。ＰＤＳＣＨ割当情報は、リソース配置タイプ（例えば、０、１、２）毎に異なる。リソース配置タイプ０のＰＤＳＣＨ割当情報は、リソースブロックグループ単位でＰＤＳＣＨの割り当てを示すビットマップである。以下では、ＰＤＳＣＨ割当情報が、リソース配置タイプ０である例を説明するが、これに限られない。なお、ＰＤＳＣＨ割当情報を含むＤＣＩは、ＰＤＣＣＨ、拡張ＰＤＣＣＨのいずれを用いて送信されてもよい。
【００４６】
また、リソースブロックは、拡張ＰＤＣＣＨセットを構成する周波数リソース単位であり、例えば、ＰＲＢペアやＰＲＢである。以下では、リソースブロックとして、ＰＲＢペアを用いる例を説明するが、これに限られない。また、リソースブロックグループは、周波数方向に連続する所定数のリソースブロックで構成される。以下では、リソースブロックグループが、周波数方向に連続する所定数のＰＲＢペアで構成される例を説明するが、周波数方向に連続する所定数のＰＲＢで構成されてもよい。
【００４７】
以下、本実施の形態に係る無線通信方法について説明する。
【００４８】
図１１は、本実施の形態に係る拡張ＰＤＣＣＨ割当情報の一例を示す図である。図１１では、帯域幅が１０ＭＨｚ（５０ＰＲＢペア）である場合を想定する。また、図１１では、拡張ＰＤＣＣＨセット＃１は、ＰＲＢペア＃０、＃９及び＃４５で構成され、拡張ＰＤＣＣＨセット＃２は、ＰＲＢペア＃３、＃１０及び＃４６で構成され、拡張ＰＤＣＣＨセット＃３は、ＰＲＢペア＃４、＃１６及び＃４７で構成されるものとする。
【００４９】
図１１において、拡張ＰＤＣＣＨ割当情報は、ユーザ端末ＵＥに設定される複数の拡張ＰＤＣＣＨセットにそれぞれ対応するビットマップで構成される。各ビットマップは、帯域幅を構成するＰＲＢペア数と等しいビット数で構成される。各ビットは、対応するＰＲＢペアにおいて拡張ＰＤＣＣＨセットが割り当てられるか否かを示す。
【００５０】
図１１において、拡張ＰＤＣＣＨセット＃１−＃３用のビットマップでは、それぞれ、拡張ＰＤＣＣＨセット＃１−＃３を構成するＰＲＢペアに対応するビットに「１（割当状態）」が設定される。すなわち、拡張ＰＤＣＣＨセット＃１用のビットマップでは、ＰＲＢペア＃０、＃９及び＃４５に対応するビットに「１（割当状態）」が設定される。拡張ＰＤＣＣＨセット＃２用のビットマップ、拡張ＰＤＣＣＨセット＃３用のビットマップについても同様である。
【００５１】
また、図１１では、ユーザ端末ＵＥ＃１に対して拡張ＰＤＣＣＨセット＃１及び＃２が設定される場合、当該拡張ＰＤＣＣＨセット＃１及び＃２を構成するＰＲＢペアと同一のＲＢＧ内に、他の拡張ＰＤＣＣＨセット＃３を構成するＰＲＢペアを含むか否かが示される。
【００５２】
例えば、図１１では、拡張ＰＤＣＣＨセット＃２を構成するＰＲＢペア＃３と同一のＲＢＧ＃１内に、拡張ＰＤＣＣＨセット＃３を構成するＰＲＢペア＃４が含まれる。また、拡張ＰＤＣＣＨセット＃１を構成するＰＲＢペア＃４５と拡張ＰＤＣＣＨセット＃２を構成するＰＲＢペア＃４６を構成するＰＲＢペア＃４６と同一のＲＢＧ＃１５内に、拡張ＰＤＣＣＨセット＃３を構成するＰＲＢペア＃４７が含まれる。
【００５３】
かかる場合、ユーザ端末ＵＥ＃１に通知される拡張ＰＤＣＣＨセット＃１及び＃２用のビットマップの双方において、ＰＲＢペア＃４及び＃４７に対応するビットに「１（割当状態）」が設定される。このように、拡張ＰＤＣＣＨセット＃１及び＃２用のビットマップ間で重複するビットを「１（割当状態）」に設定することで、当該ビットに対応するＰＲＢペアに他の拡張ＰＤＣＣＨセット＃３が割り当てられること（すなわち、当該ＰＲＢペアにＰＤＳＣＨが割り当てられないこと）を、ユーザ端末ＵＥ＃１に通知できる。また、当該無線基地局において、当該ビットに対応するＰＲＢペアに他の拡張ＰＤＣＣＨセット＃３が割り当てられていない場合においても、上述のように当該ＰＲＢペアにＰＤＳＣＨが割り当てられないことを通知することで、他の無線基地局で当該ビットに対応するＰＲＢペアに割当てられた拡張ＰＤＣＣＨに対して干渉を与えることがないため、セル間の干渉コーディネーションが適用可能となる。
【００５４】
同様に、図１１では、ユーザ端末ＵＥ＃１０に対して拡張ＰＤＣＣＨセット＃１及び＃３が設定される場合、当該拡張ＰＤＣＣＨセット＃１及び＃３を構成するＰＲＢペアと同一のＲＢＧ内に、他の拡張ＰＤＣＣＨセット＃２を構成するＰＲＢペアを含む否かが示される。
【００５５】
上述のように、図１１では、拡張ＰＤＣＣＨセット＃３を構成するＰＲＢペア＃４と同一のＲＢＧ＃１内に、拡張ＰＤＣＣＨセット＃２を構成するＰＲＢペア＃３が含まれる。また、拡張ＰＤＣＣＨセット＃１を構成するＰＲＢペア＃９と同一のＲＢＧ＃３内に、拡張ＰＤＣＣＨセット＃２を構成するＰＲＢペア＃１０が含まれる。また、拡張ＰＤＣＣＨセット＃１を構成するＰＲＢペア＃４５と拡張ＰＤＣＣＨセット＃３を構成するＰＲＢペア＃４７と同一のＲＢＧ＃１５内に、拡張ＰＤＣＣＨセット＃２を構成するＲＰＢペア＃４６が含まれる。
【００５６】
かかる場合、ユーザ端末ＵＥ＃１０に通知される拡張ＰＤＣＣＨセット＃１及び＃３用のビットマップの双方において、ＰＲＢペア＃３、＃１０及び＃４６に対応するビットに「１（割当状態）」が設定される。このように、拡張ＰＤＣＣＨセット＃１及び＃３用のビットマップ間で重複するビットを「１（割当状態）」に設定することで、当該ビットに対応するＰＲＢペアに他の拡張ＰＤＣＣＨセット＃２が割り当てられること（すなわち、当該ＰＲＢペアにＰＤＳＣＨが割り当てられないこと）を、ユーザ端末ＵＥ＃１０に通知できる。また、当該無線基地局において、当該ビットに対応するＰＲＢペアに他の拡張ＰＤＣＣＨセット＃２が割り当てられていない場合においても、上述のように当該ＰＲＢペアにＰＤＳＣＨが割り当てられないことを通知することで、他の無線基地局で当該ビットに対応するＰＲＢペアに割当てられた拡張ＰＤＣＣＨに対して干渉を与えることがないため、セル間の干渉コーディネーションが適用可能となる。
【００５７】
図１２を参照し、以上のような拡張ＰＤＣＣＨ割当情報に基づくＰＤＳＣＨの検出例について説明する。図１２は、本実施の形態に係るＰＤＳＣＨの検出例を示す図である。図１２では、ユーザ端末ＵＥ＃１０は、拡張ＰＤＣＣＨ割当情報として、図１１に示す拡張ＰＤＣＣＨセット＃１及び＃３用のビットマップを受信するものとする。また、ユーザ端末ＵＥ＃１０は、ＤＣＩに含まれるＰＤＳＣＨ割当情報として、図１２に示すリソース配置タイプ０のビットマップを受信するものとする。
【００５８】
図１２において、ユーザ端末ＵＥ＃１０は、ＤＣＩに含まれるＰＤＳＣＨ割当情報に基づいて、ＲＢＧ＃１及び＃５に対するＰＤＳＣＨの割り当てを検出する。ここで、ユーザ端末ＵＥ＃１０は、ＲＢＧ＃１及び＃５内において、ＰＤＳＣＨに割り当てられるＰＲＢペアを、拡張ＰＤＣＣＨセット＃１及び＃３用のビットマップ（図１１参照）に基づいて検出する。
【００５９】
具体的には、ＲＢＧ＃１内のＰＲＢペア＃４に対応するビットが拡張ＰＤＣＣＨセット＃３用のビットマップで「１（割当状態）」に設定されるので、ユーザ端末ＵＥ＃１０は、ＰＲＢペア＃４に拡張ＰＤＣＣＨセット＃３が割り当てられることを検出する。また、ＲＢＧ＃１内のＰＲＢペア＃３に対応するビットが拡張ＰＤＣＣＨセット＃１及び＃３用の双方のビットマップで「１（割当状態）」に設定されるので、ユーザ端末ＵＥ＃１０は、ＰＲＢペア＃３にＰＤＳＣＨが割り当てられないことを検出する。これにより、ユーザ端末ＵＥ＃１０は、ＲＢＧ＃１内の残りの１ＰＲＢペア＃５にＰＤＳＣＨが割り当てられることを検出する。
【００６０】
同様に、ＲＢＧ＃５内のＰＲＢペア＃１６に対応するビットが拡張ＰＤＣＣＨセット＃用のビットマップで「１（割当状態）」に設定されるので、ユーザ端末ＵＥ＃１０は、ＰＲＢペア＃１６に拡張ＰＤＣＣＨセット＃３が割り当てられることを検出する。これにより、ユーザ端末ＵＥ＃１０は、ＲＢＧ＃５内の残りの２ＰＲＢペア＃１５及び＃１７にＰＤＳＣＨが割り当てられることを検出する。
【００６１】
このように、ユーザ端末ＵＥ＃１０に通知される拡張ＰＤＣＣＨセット＃１及び＃３用のビットマップでは、拡張ＰＤＣＣＨセット＃１及び＃３を構成するＰＲＢペアだけでなく、当該ＰＲＢペアと同一のＲＢＧ内で、かつ、他の拡張ＰＤＣＣＨセット＃２を構成するＰＲＢペアが示される。このため、ユーザ端末ＵＥ＃１０は、ＰＤＳＣＨの割り当てが検出されたＲＢＧ内で、ＰＤＳＣＨが割り当てられるＰＲＢペアを適切に検出できる。このため、無線基地局は、ＲＢＧ内の一部の使用可能なＰＲＢペアにＰＤＳＣＨを割り当て可能となり、リソース利用効率を向上させることができる。
【００６２】
図１３は、本実施の形態に係るＰＤＳＣＨの他の検出例を示す図である。図１３では、拡張ＰＤＣＣＨ割当情報として、ユーザ端末ＵＥ＃１が、拡張ＰＤＣＣＨセット＃１及び＃２用のビットマップ（図１１参照）を受信し、ユーザ端末ＵＥ＃１０が、拡張ＰＤＣＣＨセット＃１及び＃３用のビットマップ（図１１参照）を受信するものとする。また、拡張ＰＤＣＣＨセット＃１は、ユーザ端末ＵＥ間で共通のプライマリセットであり、ユーザ拡張ＰＤＣＣＨセット＃２及び＃３は、ユーザ端末ＵＥ間で個別のセカンダリセットであるものとする。
【００６３】
図１３において、ユーザ端末ＵＥ＃１が、ＤＣＩに含まれるＰＤＳＣＨ割当情報に基づいて、ＲＢＧ＃３に対するＰＤＳＣＨの割り当てを検出するとする。また、ユーザ端末ＵＥ＃１は、拡張ＰＤＣＣＨセット＃１及び＃２用のビットマップ（図１１参照）に基づいて、ＲＢＧ＃３内のＰＲＢペア＃９及び＃１０に対する拡張ＰＤＣＣＨセット＃１及び＃２の割り当てをそれぞれ検出する。かかる場合、ユーザ端末ＵＥ＃１は、ＲＢＧ＃３内の残りのＰＲＢペア＃１１に加えて、拡張ＰＤＣＣＨセット＃２が割り当てられるＰＲＢペア＃９に対するＰＤＳＣＨの割り当てを検出してもよい。拡張ＰＤＣＣＨセット＃２は、ユーザ端末ＵＥ＃１自身のセカンダリセットであり、未使用であると仮定できるためである。
【００６４】
一方、図１３において、ユーザ端末ＵＥ＃１０が、ＤＣＩに含まれるＰＤＳＣＨ割当情報に基づいて、ＲＢＧ＃３の割り当てを検出するとする。また、ユーザ端末ＵＥ＃１０は、拡張ＰＤＣＣＨセット＃１及び＃３用のビットマップ（図１１参照）に基づいて、ＲＢＧ＃３内のＰＲＢペア＃９及び＃１０に対する拡張ＰＤＣＣＨセット＃１及び＃２の割り当てをそれぞれ検出する。かかる場合、ユーザ端末ＵＥ＃１０は、ＲＢＧ＃３内の残りのＰＲＢペア＃１１に対するＰＤＳＣＨの割り当てを検出してもよい。拡張ＰＤＣＣＨセット＃２は、ユーザ端末ＵＥ＃１０自身のセカンダリセットではなく、未使用であると仮定できないためである。
【００６５】
以上のように、ユーザ端末ＵＥは、ＰＤＳＣＨの割り当てが検出されるＲＢＧ内に、ユーザ端末ＵＥ自身のセカンダリセットのＰＲＢペアが含まれる場合、当該ＰＲＢペアに対するＰＤＳＣＨの割り当てを検出してもよい。一方、ユーザ端末ＵＥは、上記ＲＢＧ内に他のユーザ端末ＵＥのセカンダリセットのＰＲＢペアが含まれる場合、当該ＰＲＢペアに対するＰＤＳＣＨの割り当てを検出しなくてもよい。
【００６６】
各ユーザ端末ＵＥに対して複数の拡張ＰＤＣＣＨセットが設定される場合、全ての拡張ＰＤＣＣＨセットが使用されるとは限らない。したがって、図１３に示す場合、ユーザ端末ＵＥは、未使用のセカンダリセットのＰＲＢペアに対するＰＤＳＣＨの割り当てを適切に検出できる。このため、無線基地局は、未使用のセカンダリセットのＰＲＢペアにもＰＤＳＣＨを割り当て可能となり、リソース利用効率を更に向上させることができる。
【００６７】
なお、図１１−図１３では、拡張ＰＤＣＣＨ割当情報がビットマップで構成される例を説明したが、これに限られない。例えば、拡張ＰＤＣＣＨ割当情報は、各拡張ＰＤＣＣＨセットを構成するリソースブロックのインデックス番号であってもよい。具体的には、図１１において、ユーザ端末ＵＥ＃１に対して拡張ＰＤＣＣＨセット＃１及び＃２が設定される場合、無線基地局は、ユーザ端末ＵＥ＃１に対して、拡張ＰＤＣＣＨセット＃１を構成するＰＲＢペアのインデックス番号「０」、「９」、「４５」、拡張ＰＤＣＣＨセット＃２を構成するＰＲＢペアのインデックス番号「３」、「１０」、「４６」を通知するとともに、他のユーザ端末ＵＥ＃１０に設定される拡張ＰＤＣＣＨセット＃３を構成するＰＲＢペアのインデックス番号「４」、「１６」、「４７」を通知してもよい。これにより、ユーザ端末＃１は、拡張ＰＤＣＣＨセット＃１及び＃２を構成するＰＲＢペア＃３、＃４５、＃４６と同一のＲＢＧ＃１、＃１５内で、拡張ＰＤＣＣＨセット＃３を構成するＰＲＢペア＃４、＃４７にＰＤＳＣＨが割り当てられないことを検出できる。
【００６８】
以下、本実施の形態に係る無線通信システムについて詳細に説明する。
【００６９】
（無線通信システムの構成）
図１４は、本実施の形態に係る無線通信システムの概略構成図である。なお、図１４に示す無線通信システムは、例えば、ＬＴＥシステム或いは、ＳＵＰＥＲ  ３Ｇが包含されるシステムである。この無線通信システムでは、ＬＴＥシステムのシステム帯域を１単位とする複数の基本周波数ブロック（コンポーネントキャリア）を一体としたキャリアアグリゲーションが適用される。また、この無線通信システムは、ＩＭＴ−Ａｄｖａｎｃｅｄと呼ばれても良いし、４Ｇ、ＦＲＡ（Future  Radio  Access）と呼ばれても良い。
【００７０】
図１４に示すように、無線通信システム１は、マクロセルＣ１を形成する無線基地局１１と、マクロセルＣ１内に配置され、マクロセルＣ１よりも狭いスモールセルＣ２を形成する無線基地局１２ａ及び１２ｂとを備えている。また、マクロセルＣ１及び各スモールセルＣ２には、ユーザ端末２０が配置されている。ユーザ端末２０は、無線基地局１１及び無線基地局１２の双方と無線通信可能に構成されている。
【００７１】
ユーザ端末２０と無線基地局１１との間は、相対的に低い周波数帯域（例えば、２ＧＨｚ）で帯域幅が広いキャリア（既存キャリア、Legacy  carrierなどと呼ばれる）を用いて通信が行なわれる。一方、ユーザ端末２０と無線基地局１２との間は、相対的に高い周波数帯域（例えば、３．５ＧＨｚなど）で帯域幅狭いキャリアが用いられてもよいし、無線基地局１１との間と同じキャリアが用いられてもよい。無線基地局１１及び各無線基地局１２は、有線接続又は無線接続されている。
【００７２】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。また、各無線基地局１２は、無線基地局１１を介して上位局装置に接続されてもよい。
【００７３】
なお、無線基地局１１は、相対的に広いカバレッジを有する無線基地局であり、ｅＮｏｄｅＢ、無線基地局装置、送信ポイントなどと呼ばれてもよい。また、無線基地局１２は、局所的なカバレッジを有する無線基地局であり、ピコ基地局、フェムト基地局、Ｈｏｍｅ  ｅＮｏｄｅＢ、ＲＲＨ（Remote  Radio  Head）、マイクロ基地局、送信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【００７４】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００７５】
ここで、図１４に示す無線通信システムで用いられる通信チャネルについて説明する。下りリンクの通信チャネルは、各ユーザ端末２０で共有されるＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ）とを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。また、拡張ＰＤＣＣＨ（Enhanced Physical  Downlink  Control  Channel、ePDCCH、E-PDCCH、FDM型PDCCH等とも呼ばれる）により、ＰＤＳＣＨ及びＰＵＳＣＨのスケジューリング情報等が伝送されてもよい。この拡張ＰＤＣＣＨ（拡張下り制御チャネル）は、ＰＤＳＣＨ（下り共有データチャネル）と周波数分割多重され、ＰＤＣＣＨの容量不足を補うために使用される。
【００７６】
上りリンクの通信チャネルは、各ユーザ端末２０で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨにより、下りリンクの無線品質情報（CQI：Channel  Quality  Indicator）、ＡＣＫ/ＮＡＣＫ等が伝送される。
【００７７】
図１５は、本実施の形態に係る無線基地局１０（無線基地局１１及び１２を含む）の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。
【００７８】
下りリンクにより無線基地局１０からユーザ端末２０に送信されるユーザデータは、上位局装置３０から伝送路インターフェース１０６を介してベースバンド信号処理部１０４に入力される。
【００７９】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われて各送受信部２０３に転送される。また、下りリンクの制御チャネルの信号に関しても、チャネル符号化や逆高速フーリエ変換等の送信処理が行われて、各送受信部１０３に転送される。
【００８０】
また、ベースバンド信号処理部１０４は、報知チャネルにより、ユーザ端末２０に対して、当該セルにおける通信のための制御情報を通知する。当該セルにおける通信のための情報には、例えば、上りリンク又は下りリンクにおけるシステム帯域幅などが含まれる。
【００８１】
各送受信部１０３は、ベースバンド信号処理部１０４からアンテナ毎にプリコーディングして出力されたベースバンド信号を無線周波数帯に変換する。アンプ部１０２は、周波数変換された無線周波数信号を増幅して送受信アンテナ１０１により送信する。
【００８２】
一方、上りリンクによりユーザ端末２０から無線基地局１０に送信されるデータについては、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００８３】
ベースバンド信号処理部１０４では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【００８４】
図１６は、本実施の形態に係るユーザ端末２０の全体構成図である。ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５とを備えている。
【００８５】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理等がなされる。この下りリンクのデータの内、下りリンクのユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【００８６】
一方、上りリンクのユーザデータについては、アプリケーション部２０５からベースバンド信号処理部２０４に入力される。ベースバンド信号処理部２０４では、再送制御（Ｈ−ＡＲＱ  （Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【００８７】
図１７は、本実施の形態に係る無線基地局１０が有するベースバンド信号処理部１０４及び一部の上位レイヤの機能構成図である。なお、図１７においては、下りリンク（送信）用の機能構成を主に示しているが、無線基地局１０は、上りリンク（受信）用の機能構成を備えてもよい。
【００８８】
図１７に示すように、無線基地局１０は、上位レイヤ制御情報生成部３００、データ生成部３０１、チャネル符号化部３０２、変調部３０３、マッピング部３０４、下り制御情報生成部３０５、共通制御情報生成部３０６、チャネル符号化部３０７、変調部３０８、制御チャネル多重部３０９、インタリーブ部３１０、測定用参照信号生成部３１１、ＩＦＦＴ部３１２、マッピング部３１３、復調用参照信号生成部３１４、ウェイト乗算部３１５、ＣＰ挿入部３１６、スケジューリング部３１７を具備する。なお、無線基地局１０が、スモールセルＣ２を形成する無線基地局１２である場合、制御チャネル多重部３０９、インタリーブ部３１０は省略されてもよい。
【００８９】
上位レイヤ制御情報生成部３００は、ユーザ端末２０毎に上位レイヤ制御情報を生成する。また、上位レイヤ制御情報は、上位レイヤシグナリング（例えば、ＲＲＣシグナリング）される制御情報であり、例えば、拡張ＰＤＣＣＨ割当情報などを含む。データ生成部３０１は、ユーザ端末２０毎に下りユーザデータを生成する。
【００９０】
データ生成部３０１で生成された下りユーザデータと上位レイヤ制御情報生成部３００で生成された上位レイヤ制御情報とは、ＰＤＳＣＨで伝送される下りデータとして、チャネル符号化部３０２に入力される。チャネル符号化部３０２は、各ユーザ端末２０に対する下りデータを、各ユーザ端末２０からのフィードバック情報に基づいて決定された符号化率に従ってチャネル符号化する。変調部３０３は、チャネル符号化された下りデータを各ユーザ端末２０からのフィードバック情報に基づいて決定された変調方式に従って変調する。マッピング部３０４は、スケジューリング部３１７からの指示に従って、変調された下りデータをマッピングする。
【００９１】
下り制御情報生成部３０５は、ユーザ端末２０毎に、ＵＥ固有（UE-specific）の下り制御情報（ＤＣＩ）を生成する。ＵＥ固有の下り制御情報には、ＰＤＳＣＨ割当情報（ＤＬグラント）、ＰＵＳＣＨ割当情報（ＵＬグラント）などが含まれる。共通制御情報生成部３０６は、セル共通（Cell-specific）の共通制御情報を生成する。
【００９２】
下り制御情報生成部３０５で生成された下り制御情報、共通制御情報生成部３０６で生成された共通制御情報は、ＰＤＣＣＨ又は拡張ＰＤＣＣＨで伝送される下り制御情報として、チャネル符号化部３０７に入力される。チャネル符号化部３０７は、入力された下り制御情報を、後述するスケジューリング部３１７から指示された符号化率に従ってチャネル符号化する。変調部３０８は、チャネル符号化された下り制御情報をスケジューリング部３１７から指示された変調方式に従って変調する。
【００９３】
ここで、ＰＤＣＣＨで伝送される下り制御情報は、変調部３０８から制御チャネル多重部３０９に入力されて多重される。制御チャネル多重部３０９で多重された下り制御情報は、インタリーブ部３１０においてインタリーブされる。インタリーブされた下り制御情報は、測定用参照信号生成部３１１で生成された測定用参照信号（ＣＳＩ−ＲＳ：Channel  State  Information-Reference  Signal、ＣＲＳ：Cell  specific  Reference  Signalなど）とともに、ＩＦＦＴ部３１２に入力される。
【００９４】
一方、拡張ＰＤＣＣＨで伝送される下り制御情報は、変調部３０８からマッピング部３１３に入力される。マッピング部３１３は、後述するスケジューリング部３１７からの指示に従って、下り制御情報を所定の割り当て単位（例えば、ｅＣＣＥやｅＲＥＧ）でマッピングする。マッピング部３１３は、スケジューリング部３１７の指示に従って、分散マッピング（Distributed  Mapping）を用いて下り制御情報をマッピングしてもよいし、局所マッピング（Localized  Mapping）を用いて下り制御情報をマッピングしてもよい。
【００９５】
マッピングされた下り制御情報は、ＰＤＳＣＨで伝送される下りデータ（すなわち、マッピング部３０４でマッピングされた下りデータ）と、復調用参照信号生成部３１４で生成された復調用参照信号（ＤＭ−ＲＳ）とともに、ウェイト乗算部３１５に入力される。ウェイト乗算部３１５は、ＰＤＣＳＨで伝送される下りデータ、拡張ＰＤＣＣＨで伝送される下り制御情報、復調用参照信号に対して、ユーザ端末２０固有のプリコーディングウェイトを乗算し、プリコーディングを行う。プリコーディングされた送信データは、ＩＦＦＴ部３１２に入力され、逆高速フーリエ変換により周波数領域の信号から時系列の信号に変換される。ＩＦＦＴ部３１２からの出力信号には、ＣＰ挿入部３１６によりガードインターバルとして機能するサイクリックプリフィクス（ＣＰ）が挿入され、送受信部１０３に出力される。
【００９６】
スケジューリング部３１７は、ＰＤＳＣＨで伝送される下りユーザデータ、拡張ＰＤＣＣＨで伝送される下り制御情報、ＰＤＣＣＨで伝送される下り制御情報のスケジューリングを行う。具体的には、スケジューリング部３１７は、上位局装置３０からの指示情報や各ユーザ端末２０からのフィードバック情報（例えば、ＣＱＩ（Channel  Quality  Indicator）、ＲＩ（Rank  Indicator）などを含むＣＳＩ（Channel  State  Information）など）に基づいて、無線リソースの割り当てを行う。
【００９７】
本実施の形態において、スケジューリング部３１７は、各ユーザ端末２０に対して、複数の拡張ＰＤＣＣＨセット（リソースセット）を設定（configure）する。また、スケジューリング部３１７は、各拡張ＰＤＣＣＨセットを構成するＰＲＢペアを決定する。また、スケジューリング部３１７は、ユーザ端末２０の数等に基づいて、使用する拡張ＰＤＣＣＨセットを決定する。スケジューリング部３１７は、決定された拡張ＰＤＣＣＨセットを構成するＰＲＢペアに下り制御情報を分散マッピング又は局所マッピングするように、マッピング部３１３に指示する。スケジューリング部３１７は、本発明の設定部を構成する。
【００９８】
また、本実施の形態において、スケジューリング部３１７は、ＰＤＳＣＨに使用可能なＰＲＢペア（すなわち、各拡張ＰＤＣＣＨセットを構成しないＰＲＢペアや未使用の拡張ＰＤＣＣＨセットを構成するＰＲＢペア）に対して、下りユーザデータをスケジューリングする。スケジューリング部３１７は、スケジューリング結果に従って下りユーザデータをＰＲＢペアにマッピングするよう、マッピング部３０４に指示する。また、スケジューリング部３１７は、リソース配置タイプに従ってＰＤＳＣＨ割当情報を生成するよう、下り制御情報生成部３０５に指示する。なお、リソース配置タイプ０の場合、ＰＤＳＣＨ割当情報は、ＲＢＧ単位でＰＤＳＣＨの割り当てを示す。
【００９９】
また、本実施の形態において、上位レイヤ制御情報生成部３００は、スケジューリング部３１７からの指示に基づいて、拡張ＰＤＣＣＨ割当情報を生成する。ここで、拡張ＰＤＣＣＨ割当情報は、ユーザ端末２０に設定される各拡張ＰＤＣＣＨセットを構成するＰＲＢペアを示すとともに、当該ＰＲＢペアと同一ＲＢＧ内で、かつ、他のユーザ端末２０に設定される拡張ＰＤＣＣＨセットを構成するＰＲＢペアを示す。拡張ＰＤＣＣＨ割当情報は、図１１に示すように、ユーザ端末ＵＥに設定される複数の拡張ＰＤＣＣＨセットにそれぞれ対応するビットマップで構成されてもよい。かかる拡張ＰＤＣＣＨ割当情報は、上位レイヤシグナリング（例えば、ＲＲＣシグナリング）により、ユーザ端末２０に通知される。上位レイヤ制御情報生成部３００及び送受信部１０３は、本発明の通知部を構成する。
【０１００】
図１８は、ユーザ端末２０が有するベースバンド信号処理部１０４の機能構成図である。ユーザ端末２０は、下りリンク（受信）用の機能構成として、ＣＰ除去部４０１、ＦＦＴ部４０２、デマッピング部４０３、デインタリーブ部４０４、ＰＤＣＣＨ復調部４０５、拡張ＰＤＣＣＨ復調部４０６、ＰＤＳＣＨ復調部４０７、チャネル推定部４０８を具備する。
【０１０１】
無線基地局１０から受信データとして受信された下り信号は、ＣＰ除去部４０１でサイクリックプリフィクス（ＣＰ）が除去される。ＣＰが除去された下り信号は、ＦＦＴ部４０２へ入力される。ＦＦＴ部４０２は、下り信号を高速フーリエ変換（ＦＦＴ：Fast  Fourier  Transform）して時間領域の信号から周波数領域の信号に変換し、デマッピング部４０３へ入力する。デマッピング部４０３は、下り信号をデマッピングする。なお、デマッピング部４０３によるデマッピング処理は、アプリケーション部２０５から入力される上位レイヤ制御情報に基づいて行われる。デマッピング部４０３から出力された下り制御情報は、デインタリーブ部４０４でデインタリーブされる。
【０１０２】
ＰＤＣＣＨ復調部４０５は、後述するチャネル推定部４０８によるチャネル推定結果に基づいて、デインタリーブ部４０４から出力された下り制御情報（ＤＣＩ）のブラインド復号、復調、チャネル復号などを行う。具体的には、ＰＤＣＣＨ復調部４０５は、無線基地局１０から予め通知されたサーチスペース候補、または予め決められたサーチスペース候補をブラインド復号して、下り制御情報を取得する。ＰＤＣＣＨ復調部４０５は、下り制御情報に含まれるＰＤＳＣＨ割当情報をＰＤＳＣＨ復調部４０７に出力する。
【０１０３】
拡張ＰＤＣＣＨ復調部４０６は、後述するチャネル推定部４０８によるチャネル推定結果に基づいて、デマッピング部４０３から出力された拡張ＰＤＣＣＨ復調部４０６のブラインド復号、復調、チャネル復号などを行う。
【０１０４】
本実施の形態において、拡張ＰＤＣＣＨ復調部４０６は、ＰＤＳＣＨ復調部４０７から入力される拡張ＰＤＣＣＨ割当情報に基づいて、各拡張ＰＤＣＣＨセットを構成するＰＲＢペアを検出する。拡張ＰＤＣＣＨ復調部４０６は、検出されたＰＲＢペアをブラインド復号して、下り制御情報を取得する。ＰＤＣＣＨ復調部４０５は、下り制御情報に含まれるＰＤＳＣＨ割当情報をＰＤＳＣＨ復調部４０７に出力する。
【０１０５】
ＰＤＳＣＨ復調部４０７は、後述するチャネル推定部４０８によるチャネル推定結果に基づいて、デマッピング部４０３から出力された下りデータの復調、チャネル復号などを行う。具体的には、ＰＤＳＣＨ復調部４０７は、ＰＤＣＣＨ復調部４０５又は拡張ＰＤＣＣＨ復調部４０６で復調された下り制御情報に基づいて自端末に割り当てられたＰＤＳＣＨを復調し、自端末宛ての下りデータ（下りユーザデータ及び上位レイヤ制御情報）を取得する。
【０１０６】
本実施の形態において、ＰＤＳＣＨ復調部４０７は、復調された拡張ＰＤＣＣＨ割当情報に基づいて、ＰＤＳＣＨが割り当てられるＰＲＢペアを検出する。具体的には、ＰＤＳＣＨ復調部４０７は、ＰＤＣＣＨ復調部４０５又は拡張ＰＤＣＣＨ復調部４０６から、ＰＤＳＣＨ割当情報を取得する。リソース配置タイプ０の場合、ＰＤＳＣＨ割当情報は、ＰＤＳＣＨが割り当てられるＲＢＧを示す。ＰＤＳＣＨ復調部４０７は、当該ＲＢＧ内で、かつ、拡張ＰＤＣＣＨ割当情報が示すＰＲＢペア以外のＰＲＢペアに対するＰＤＳＣＨの割り当てを検出する。ＰＤＳＣＨ復調部４０７は、本発明の検出部を構成する。
【０１０７】
また、本実施の形態において、ＰＤＳＣＨ復調部４０７は、当該ＲＢＧ内にユーザ端末２０自身のセカンダリセットを構成するＰＲＢペアが含まれる場合、当該ＰＲＢペアに対するＰＤＳＣＨの割り当てを検出してもよい。一方、ＰＤＳＣＨ復調部４０７は、当該ＲＢＧ内に他のユーザ端末２０のセカンダリセットを構成するＰＲＢペアが含まれる場合、当該ＰＲＢペアに対するＰＤＳＣＨの割り当てを検出しなくともよい。
【０１０８】
チャネル推定部４０８は、復調用参照信号（ＤＭ−ＲＳ）、測定用参照信号（ＣＲＳ、ＣＳＩ−ＲＳ）などを用いてチャネル推定を行う。チャネル推定部４０８は、測定用参照信号（ＣＲＳ、ＣＳＩ−ＲＳ）によるチャネル推定結果をＰＤＣＣＨ復調部４０５に出力する。一方、チャネル推定部４０８は、復調用参照信号（ＤＭ−ＲＳ）によるチャネル推定結果をＰＤＳＣＨ復調部４０７及び拡張ＰＤＣＣＨ復調部４０６に出力する。ユーザ端末２０に固有の復調用参照信号（ＤＭ−ＲＳ）を用いた復調により、ＰＤＳＣＨ及び拡張ＰＤＣＣＨについては、ビームフォーミングゲインを得ることができる。
【０１０９】
以上のように、本実施の形態に係る無線通信システム１によれば、ユーザ端末２０に対して複数の拡張ＰＤＣＣＨセットが設定される場合、当該複数の拡張ＰＤＣＣＨセットを構成するＰＲＢペアだけでなく、当該ＰＲＢペアと同一のＲＢＧ内で、かつ、他のユーザ端末２０に設定される他の拡張ＰＤＣＣＨセットを構成するＰＲＢペアを示す拡張ＰＤＣＣＨ割当情報がユーザ端末２０に通知される。このため、ユーザ端末２０は、当該拡張ＰＤＣＣＨ割当情報に基づいて、ＰＤＳＣＨが割り当てられるＰＲＢペアを適切に検出できる。この結果、無線基地局１０は、使用可能なＰＲＢペアに柔軟にＰＤＳＣＨを割り当てる可能となり、リソース利用効率を向上させることができる。
【０１１０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１１】
１…無線通信システム
１０、１１、１２…無線基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３００…上位レイヤ制御情報生成部
３０１…データ生成部
３０２…チャネル符号化部
３０３…変調部
３０４…マッピング部
３０５…下り制御情報生成部
３０６…共通制御情報生成部
３０７…チャネル符号化部
３０８…変調部
３０９…制御チャネル多重部
３１０…インタリーブ部
３１１…測定用参照信号生成部
３１２…ＩＦＦＴ部
３１３…マッピング部
３１４…復調用参照信号生成部
３１５…ウェイト乗算部
３１６…ＣＰ挿入部
３１７…スケジューリング部
４０１…ＣＰ除去部
４０２…ＦＦＴ部
４０３…デマッピング部
４０４…デインタリーブ部
４０５…ＰＤＣＣＨ復調部
４０６…拡張ＰＤＣＣＨ復調部
４０７…ＰＤＳＣＨ復調部
４０８…チャネル推定部
【図１】
2014033277.tif 000003
【図２】
2014033277.tif 000004
【図３】
2014033277.tif 000005
【図４】
2014033277.tif 000006
【図５】
2014033277.tif 000007
【図６】
2014033277.tif 000008
【図７】
2014033277.tif 000009
【図８】
2014033277.tif 000010
【図９】
2014033277.tif 000011
【図１０】
2014033277.tif 000012
【図１１】
2014033277.tif 000013
【図１２】
2014033277.tif 000014
【図１３】
2014033277.tif 000015
【図１４】
2014033277.tif 000016
【図１５】
2014033277.tif 000017
【図１６】
2014033277.tif 000018
【図１７】
2014033277.tif 000019
【図１８】
2014033277.tif 000020